(57)【要約】【課題】  閉栓時には乾燥剤の吸湿機能を発揮させ、開栓時には乾燥剤を外気から遮断し得るようにし、かかる状態変換を開閉栓操作により自動的に行い得るようにする。【解決手段】  内筒部材５の収容空間５０に乾燥剤４を入れてキャップ３の取付部３３に固定する。内筒部材に、底壁５３から斜め下方に螺旋状に延びる付勢バネ５４と、底壁５５を貫通する挿入開口５６とを形成しておく。付勢バネで外筒部材６の底壁６３を下向きに付勢し、係合凸部５１２，６１１の係合で停止した状態で小径筒部６６の上側部位が挿入開口を閉止するようにする。キャップを容器２の口部２１にねじ込んでいくと、開口縁２１２が突出縁６５を押し込み、外筒部材が付勢バネに抗して上向きに移動し、閉栓状態では透孔６６１が挿入開口に位置して容器内と乾燥剤の収容空間とが連通する。【選択図】      図１
2005193925.tif 000002
【特許請求の範囲】
【請求項１】
容器の口部を開閉可能に覆う蓋状のキャップの内側に対しそのキャップの閉栓状態で上記口部よりも径方向内方に位置付けられるように装着される防湿栓装置であって、
上記キャップ内面に固定され内部に乾燥剤を収容するための収容空間及びこの収容空間を外部に連通させる通気孔を有する収容部材と、上記通気孔を開放した開放状態と閉止した閉止状態とに変換させる開閉変換手段とを備え、
上記開閉変換手段は、上記通気孔を閉止する閉止部であって上記通気孔に対し上記開放状態及び閉止状態の間を位置変換し得るよう可動に配設される閉止部と、この閉止部を上記閉止状態に位置付けるよう付勢する付勢バネとを備え、
上記閉止部は、上記キャップの上記口部に対する閉栓操作に基づき生じる上記口部の開口縁のキャップ内面に向けての押し込み力を受けて、上記閉止状態から上記開放状態に向けて上記付勢バネに抗して位置変換されるように構成されている
ことを特徴とする防湿栓装置。
【請求項２】
容器の口部を開閉可能に覆う蓋状のキャップの内側に対しそのキャップの閉栓状態で上記口部よりも径方向内方に位置付けられるように装着される防湿栓装置であって、
上記キャップ内面に固定され内部に乾燥剤を収容するための収容空間を有する有底筒状の内筒部材と、外周側に突出する突出縁を有し上記内筒部材に対しその筒軸方向に近接又は離反する側に相対移動可能に外嵌される外筒部材と、上記外筒部材を内筒部材から離反する側に付勢する付勢バネとを備えており、
上記外筒部材は、その突出縁に対し上記キャップの閉栓操作に伴い上記口部の開口縁が当接しその開口縁から押圧力を受けることにより上記付勢バネに抗して上記内筒部材に近接する側に相対移動する一方、上記キャップの開栓操作に伴い上記押圧力が解消されることにより上記付勢バネの復元力に基づいて上記内筒部材から離反する側に相対移動するように構成され、
上記内筒部材及び外筒部材のいずれか一方には通気孔が貫通形成され、他方にはこの通気孔を開閉可能に閉止する閉止部が形成され、この閉止部は、上記内筒部材に近接する側への上記外筒部材の相対移動により上記通気孔を閉止した閉止状態と、上記内筒部材から離反する側への上記外筒部材の相対移動により上記通気孔を開放した開放状態とに相互に状態変換するよう配設されている
ことを特徴とする防湿栓装置。
【請求項３】
容器の口部を開閉可能に覆う蓋状のキャップの内側に対しそのキャップの閉栓状態で上記口部よりも径方向内方に位置付けられるように装着される防湿栓装置であって、
上記キャップ内面に固定され内部に乾燥剤を収容するための収容空間を有する有底筒状の内筒部材と、外周側に突出する突出縁を有し上記内筒部材に対しその筒軸方向に近接又は離反する側に相対移動可能に外嵌される有底筒状の外筒部材と、上記外筒部材を内筒部材から離反する側に付勢する付勢バネとを備えており、
上記外筒部材は、その突出縁に対し上記キャップの閉栓操作に伴い上記口部の開口縁が当接しその開口縁から押圧力を受けることにより上記付勢バネに抗して上記内筒部材に近接する側に相対移動する一方、上記キャップの開栓操作に伴い上記押圧力が解消されることにより上記付勢バネの圧縮復元力に基づいて上記内筒部材から離反する側に相対移動するように構成され、
上記内筒部材及び外筒部材の両底壁が上記筒軸方向に相対面するように配置され、上記内筒部材及び外筒部材の両底壁のいずれか一方には挿入開口が貫通形成され、他方には上記挿入開口に対し上記筒軸方向に相対移動可能に内嵌されるよう突出しかつ筒軸方向一側部位に透孔を有する小径筒部が形成され、
上記挿入開口と小径筒部とは、上記内筒部材に近接する側への上記外筒部材の相対移動により上記小径筒部の透孔と挿入開口とが互いに連通した開放状態と、上記内筒部材から離反する側への上記外筒部材の相対移動により上記挿入開口の開口縁と小径筒部の筒軸方向他側部位とが密接して上記連通を遮断した閉止状態とに、相互に状態変換するよう配設されている
ことを特徴とする防湿栓装置。
【請求項４】
容器の口部を開閉可能に覆う蓋状のキャップの内側に対しそのキャップの閉栓状態で上記口部よりも径方向内方に位置付けられるように装着される防湿栓装置であって、
上記キャップ内面に固定され内部に乾燥剤を収容するための収容空間を有する有底筒状の内筒部材と、外周側に突出する突出縁を有し上記内筒部材に対しその筒軸方向に近接又は離反する側に相対移動可能に外嵌される外筒部材と、上記外筒部材を内筒部材から離反する側に付勢する付勢バネとを備えており、
上記外筒部材は、その突出縁に対し上記キャップの閉栓操作に伴い上記口部の開口縁が当接しその開口縁から押圧力を受けることにより上記付勢バネに抗して上記内筒部材に近接する側に相対移動する一方、上記キャップの開栓操作に伴い上記押圧力が解消されることにより上記付勢バネの圧縮復元力に基づいて上記内筒部材から離反する側に相対移動するように構成され、
上記内筒部材の周壁には通気孔が貫通形成され、上記外筒部材の周壁には径方向内方に斜めに突出して上記通気孔を開閉可能に閉止する閉止片部が形成され、この閉止片部は、上記内筒部材に近接する側への上記外筒部材の相対移動により上記通気孔を閉止した閉止状態と、上記内筒部材から離反する側への上記外筒部材の相対移動により上記通気孔を開放した開放状態とに、相互に状態変換するよう配設されている
ことを特徴とする防湿栓装置。
【請求項５】
請求項２〜請求項４のいずれかに記載の防湿栓装置であって、
上記内筒部材及び外筒部材は共に合成樹脂成形により円筒形状に形成され、かつ、それら内筒部材及び外筒部材の両筒軸が上記口部の中心軸と互いに同軸になるように配置されており、上記外筒部材の外径が上記容器の口部の内径よりも小径に設定され、上記外筒部材の突出縁の外径が上記キャップの内径よりも小さくかつ上記口部の開口縁の開口径と同等以上に大きく設定されている、防湿栓装置。
【請求項６】
請求項２〜請求項４のいずれかに記載の防湿栓装置であって、
上記付勢バネは、内筒部材及び外筒部材のいずれか一方と一体に合成樹脂成形により形成され、かつ、上記一方から他方に向けて斜めに延びて素材の弾性に基づき可撓性が付与された自由端をなすように形成されている、防湿栓装置。
【請求項７】
請求項６に記載の防湿栓装置であって、
上記付勢バネは、螺旋状又はたこ足状に配置された少なくとも２本以上の棒状、杆状又は帯板状の延設片により構成されている、防湿栓装置。
【請求項８】
請求項２〜請求項４のいずれかに記載の防湿栓装置であって、
上記内筒部材の外周面及び外筒部材の内周面には、上記外筒部材の離反する側の相対移動により互いに凹凸係合し上記外筒部材のそれ以上の相対移動を阻止して閉止状態に保持するストッパ部が形成されている、防湿栓装置。
【請求項９】
請求項８に記載の防湿栓装置であって、
上記ストッパ部は、径方向内方側に突出するよう形成された係合凸部と、この係合凸部に当止して移動規制するよう径方向外方側に突出する係合凸部との組み合わせにより構成されている、防湿栓装置。
【発明の詳細な説明】
【技術分野】
【０００１】
本発明は、容器の口部を開閉するための蓋状のキャップに装着されて、乾燥剤の吸湿作用により容器内の雰囲気を防湿又は調湿するための防湿栓装置に関し、特にキャップの閉栓時において乾燥剤と容器内雰囲気とを接触させて乾燥剤の吸湿機能又は調湿機能を発揮させた状態と、キャップの開栓時において上記乾燥剤と外気との接触を遮断した状態とに相互変換可能とし、かつ、その相互変換をキャップの閉栓操作又は開栓操作に基づいて自動的に行い得る技術に係る。
【背景技術】
【０００２】
従来、容器の口部に対し、周壁と頂壁とから蓋体として構成されたキャップをねじ込むことにより閉栓したり、外すことにより開栓したりして開閉可能に構成された容器が知られている。そして、かかる容器内に湿気を嫌う例えば薬剤等を収容する場合には、上記キャップの内側に乾燥剤を収容させて、その乾燥剤の吸湿機能又は調湿機能（以下、総称して「吸湿機能」という）により容器内の雰囲気を所定の状態に保持させるという防湿が行われている。
【０００３】
このような防湿を実現させるために、例えば図１１に示すようにキャップ３内側に密閉された収容空間を形成するために蓋皿状の中栓部材１０を上記キャップ３内に取り付け、この中栓部材１０により形成される収容空間に乾燥剤４を収容したものが知られている（例えば特許文献１又は特許文献２参照）。そして、中栓部材１０に貫通させた通気孔１０１を通して外部と上記収容空間とを連通させ、この通気孔１０１を通して容器２内の雰囲気と乾燥剤４とを接触させて、乾燥剤４に容器２内の雰囲気に含まれる水分を吸湿させるようにしている。
【０００４】
【特許文献１】特許第３２９１５３１号公報
【特許文献２】実用新案登録第２６００４１８号公報
【発明の開示】
【発明が解決しようとする課題】
【０００５】
ところが、上記の従来のものにおいては、キャップ３の開栓時においては外気が上記通気孔１０１を通して上記乾燥剤４に接触し、この乾燥剤４が本来の目的である容器２内の雰囲気中の水分ではなくて外気に含まれる水分を吸湿してしまう結果、乾燥剤４の吸湿機能が早期に喪失してしまうことになるという不都合がある。
【０００６】
すなわち、キャップ３に保持された乾燥剤４は上記の通気孔１０１を通して中栓部材１０の外部と常に連通した状態になっているため、キャップ３で容器２の口部２１を閉栓した状態では上記通気孔１０１を通して容器２内の雰囲気中の水分を乾燥剤が吸湿するものの、上記キャップ３を開栓した状態においても上記通気孔１０１を通して外気中の水分を上記乾燥剤が吸湿し続けることになる。ここで、通気孔の開口面積を小さくしていくと、開栓時に外気からの吸湿量は低減するものの、閉栓時にも容器内雰囲気からの吸湿量も低減し、特に開栓状態にした後に閉栓した時に容器内の雰囲気を早期に所定の防湿状態に回復する機能が十分に果たし得なくなる。逆に、上記通気孔の開口面積を大きくしていくと、閉栓時に容器内の雰囲気からの吸湿性は増大するものの、開栓時には外気からより多くの水分を吸湿してしまうことになる。望ましくは、開栓したときには外気からの水分の吸湿を抑制しつつも、開栓状態から閉栓したときには容器内の水分を素早く吸湿して容器内の雰囲気を所定の防湿状態に保持し得るようにすることである。しかしながら、これは二律背反する要求であり、上記通気孔の開口面積の調整では実現し得ない。
【０００７】
本発明は、このような事情に鑑みてなされたものであり、その目的とするところは、閉栓時には乾燥剤の吸湿機能を発揮させて容器内の雰囲気の防湿を図りつつも、開栓時には乾燥剤を外気から遮断し得る防湿栓装置を提供することにある。併せて、このような乾燥剤の状態の変換を開閉栓操作に基づいて自動的に行い得るようにすることも目的とする。
【課題を解決するための手段】
【０００８】
上記目的を達成するために、本発明では、キャップを容器の口部に閉栓した閉栓状態では乾燥剤の収容空間と容器内の雰囲気とを連通させる一方、上記キャップを容器の口部から取り外した開栓状態では上記乾燥剤の収容空間と外部との連通を遮断してその収容空間を密封した状態に変換させ得るようにした。
【０００９】
具体的には、容器の口部を開閉可能に覆う蓋状のキャップの内側に対しそのキャップの閉栓状態で上記口部よりも径方向内方に位置付けられるように装着される防湿栓装置を対象として、以下の如き種々の特定事項を備える各発明を完成させた。
【００１０】
すなわち、請求項１に係る発明では、上記キャップ内面に固定され内部に乾燥剤を収容するための収容空間及びこの収容空間を外部に連通させる通気孔を有する収容部材と、上記通気孔を開放した開放状態と閉止した閉止状態とに変換させる開閉変換手段とを備えることとする。そして、上記開閉変換手段として、上記通気孔を閉止する閉止部であって上記通気孔に対し上記開放状態及び閉止状態の間を位置変換し得るよう可動に配設される閉止部と、この閉止部を上記閉止状態に位置付けるよう付勢する付勢バネとを備えるものとし、上記閉止部を、上記キャップの上記口部に対する閉栓操作に基づき生じる上記口部の開口縁のキャップ内面に向けての押し込み力を受けて、上記閉止状態から上記開放状態に向けて上記付勢バネに抗して位置変換される構成とした。
【００１１】
この請求項１に係る発明の場合、開栓状態、つまり上記口部の開口縁から押し込み力を受けていない状態では、上記付勢バネの付勢力を受けて開閉変換手段の閉止部は通気孔を閉止した閉止状態に位置付けられ、これにより、収容部材内の収容空間に収容された乾燥剤は外気との接触から遮断される。そして、開栓状態のキャップを口部にねじ込み等の操作により閉栓操作していくと、口部の開口縁がキャップ内面に向けて近接してきてその開口縁から押し込み力（押圧力）を受けることになり、この押し込み力を受けて上記閉止部が上記付勢バネの付勢力に抗して位置変換し通気孔が開放された開放状態に変換される。これにより、閉栓状態では容器内の雰囲気と乾燥剤とが開放状態の通気孔を通して接触し、乾燥剤の吸湿機能が発揮されることになる。この閉栓状態から開栓操作していくと、上記とは逆に付勢バネの付勢力が発揮されて上記閉止部は閉止状態に位置変換し、収容部材内の収容空間が密閉されて乾燥剤は外気との接触が遮断された状態になる。以上により、開栓状態における外気との遮断による乾燥剤の保護と、閉栓状態における乾燥剤の吸湿機能による容器内の雰囲気の調湿（乾燥状態の維持）とを両立させることが可能となり、乾燥剤による吸湿機能をより一層長期に亘り持続させ得ることになる。しかも、このような開放状態と閉止状態との変換をキャップの閉栓操作又は開栓操作に連動して自動的に行わせることが可能となり、従来の容器の開栓又は閉栓のための操作性を損なうこともない。
【００１２】
次の請求項２以下の各請求項に係る発明は、以上の請求項１に係る発明における特に開閉変換手段を、より具体的な特定事項により実現させるものである。
【００１３】
すなわち、請求項２に係る発明では、上記キャップ内面に固定され内部に乾燥剤を収容するための収容空間を有する有底筒状の内筒部材と、外周側に突出する突出縁を有し上記内筒部材に対しその筒軸方向に近接又は離反する側に相対移動可能に外嵌される外筒部材と、上記外筒部材を内筒部材から離反する側に付勢する付勢バネとを備えることとする。そして、上記外筒部材として、その突出縁に対し上記キャップの閉栓操作に伴い上記口部の開口縁が当接しその開口縁から押圧力を受けることにより上記付勢バネに抗して上記内筒部材に近接する側に相対移動する一方、上記キャップの開栓操作に伴い上記押圧力が解消されることにより上記付勢バネの圧縮復元力に基づいて上記内筒部材から離反する側に相対移動する構成とする。加えて、上記内筒部材及び外筒部材のいずれか一方に通気孔を貫通形成し、他方にこの通気孔を開閉可能に閉止する閉止部を形成し、この閉止部を、上記内筒部材に近接する側への上記外筒部材の相対移動により上記通気孔を開放する開放状態と、上記内筒部材から離反する側への上記外筒部材の相対移動により上記通気孔を閉止する閉止状態とに相互に状態変換可能に配設した。
【００１４】
上記の請求項２に係る発明の場合、容器の口部にキャップを例えばねじ込んで閉栓していくと、上記口部の開口縁が外筒部材の突出縁に当接し次いでその突出縁を押圧していくことになる。そうすると、その押圧力を受けて外筒部材が付勢バネに抗して内筒部材に近接する側に相対移動し、この相対移動に伴い閉止部が開放状態まで状態変換して通気孔を開放することになる。このため、キャップを閉栓した状態では、乾燥剤の収容空間と、容器内とが通気孔を通して連通し、容器内の雰囲気中の水分を乾燥剤が吸湿して容器内の雰囲気が所定状態に調湿されることになる。一方、この閉栓状態から上記キャップを閉栓操作とは逆回りに回して口部から外していくと、それにつれて上記の押圧力が開放され、この押圧力の開放に従い付勢バネの圧縮復元力が作用して外筒部材が内筒部材から離反する側に相対移動することになる。この相対移動により閉止部が閉止状態まで状態変換して通気孔を閉止することになる。そして、開栓状態では通気孔が閉止部により閉止されて内筒部材内の収容空間が密閉され、その収容空間内の乾燥剤と外気との接触が遮断されることになる。これにより、開栓状態においては乾燥剤が外気と遮断されて保護され、乾燥剤の吸湿機能を容器内の雰囲気からの吸湿のみに発揮させることが可能となって、乾燥剤による吸湿機能をより一層長期に亘り持続させ得ることになる。
【００１５】
請求項３に係る発明は、上記の請求項２に係る発明を基本としつつ、請求項２の「閉止部」及び「通気孔」を内筒部材及び外筒部材の両底壁に配設したものについて具体化したものである。すなわち、請求項３に係る発明では、キャップ内面に固定され内部に乾燥剤を収容するための収容空間を有する有底筒状の内筒部材と、外周側に突出する突出縁を有し上記内筒部材に対しその筒軸方向に近接又は離反する側に相対移動可能に外嵌される有底筒状の外筒部材と、上記外筒部材を内筒部材から離反する側に付勢する付勢バネとを備えることとする。そして、上記外筒部材を、その突出縁に対し上記キャップの閉栓操作に伴い上記口部の開口縁が当接しその開口縁から押圧力を受けることにより上記付勢バネに抗して上記内筒部材に近接する側に相対移動する一方、上記キャップの開栓操作に伴い上記押圧力が解消されることにより上記付勢バネの圧縮復元力に基づいて上記内筒部材から離反する側に相対移動する構成とする。又、上記内筒部材及び外筒部材の両底壁を上記筒軸方向に相対面するように配置し、上記内筒部材及び外筒部材の両底壁のいずれか一方に挿入開口を貫通形成し、他方には上記挿入開口に対し上記筒軸方向に相対移動可能に内嵌されるよう突出しかつ筒軸方向一側部位に透孔を有する小径筒部を形成する。そして、上記挿入開口と小径筒部とを、上記内筒部材に近接する側への上記外筒部材の相対移動により上記小径筒部の透孔と挿入開口とが互いに連通した開放状態と、上記内筒部材から離反する側への上記外筒部材の相対移動により上記挿入開口の開口縁と小径筒部の筒軸方向他側部位とが密接して上記連通を遮断した閉止状態とに、相互に状態変換するよう配設した。
【００１６】
この請求項３に係る発明の場合においても、上記の請求項１又は請求項２の場合と同様に閉栓状態においてのみ乾燥剤を容器内の雰囲気と接触させ得る一方、閉栓状態においてはその乾燥剤と外気との接触を遮断し得るようになる。すなわち、容器の口部にキャップを例えばねじ込んで閉栓していくと、上記の請求項２の場合と同様に上記口部の開口縁が外筒部材の突出縁に当接し次いでその突出縁を押圧していくことになる。そうすると、その押圧力を受けて外筒部材が付勢バネに抗して内筒部材に近接する側に相対移動し、この相対移動に伴い小径筒部が挿入開口により押し込まれて開放状態まで状態変換することになる。このため、キャップを閉栓した状態では、乾燥剤の収容空間と容器内とが透孔及び挿入開口を通して連通し、容器内の雰囲気中の水分を乾燥剤が吸湿して容器内の雰囲気が所定状態に調湿されることになる。一方、この閉栓状態から上記キャップを閉栓操作とは逆回りに回して口部から外していくと、それにつれて上記の押圧力が開放され、この押圧力の開放に従い付勢バネの圧縮復元力が作用して外筒部材が内筒部材から離反する側に相対移動することになる。この相対移動により上記小径筒部が挿入開口に対し上記とは逆向きに移動して閉止状態まで状態変換することになる。このため、開栓状態では透孔のない部分の小径筒部が挿入開口の開口縁に密接して内筒部材内の収容空間が密閉され、この収容空間内の乾燥剤と外気との接触が遮断されることになる。これにより、請求項１又は請求項２の場合と同様に、開栓状態においては乾燥剤が外気と遮断されて保護され、乾燥剤の吸湿機能を容器内の雰囲気からの吸湿のみに発揮させることが可能となって、乾燥剤による吸湿機能をより一層長期に亘り持続させ得ることになる。つまり、この請求項３の場合では、互いに密接した状態の上記挿入開口の開口縁及び小径筒部の上記筒軸方向他側部位により「閉止部」が構成され、上記挿入開口及び透孔とが互いに連通した状態で「通気孔」が構成されることになる。
【００１７】
請求項４に係る発明は、上記の請求項２に係る発明を基本としつつ、請求項２の「閉止部」及び「通気孔」を内筒部材及び外筒部材の両周壁に配設したものについて具体化したものである。すなわち、請求項４に係る発明では、キャップ内面に固定され内部に乾燥剤を収容するための収容空間を有する有底筒状の内筒部材と、外周側に突出する突出縁を有し上記内筒部材に対しその筒軸方向に近接又は離反する側に相対移動可能に外嵌される外筒部材と、上記外筒部材を内筒部材から離反する側に付勢する付勢バネとを備えることとする。又、上記外筒部材を、その突出縁に対し上記キャップの閉栓操作に伴い上記口部の開口縁が当接しその開口縁から押圧力を受けることにより上記付勢バネに抗して上記内筒部材に近接する側に相対移動する一方、上記キャップの開栓操作に伴い上記押圧力が解消されることにより上記付勢バネの圧縮復元力に基づいて上記内筒部材から離反する側に相対移動する構成とする。そして、上記内筒部材の周壁に通気孔を貫通形成し、上記外筒部材の周壁に径方向内方に斜めに突出して上記通気孔を開閉可能に閉止する閉止片部をなし、この閉止片部を、上記内筒部材に近接する側への上記外筒部材の相対移動により上記通気孔を閉止した閉止状態と、上記内筒部材から離反する側への上記外筒部材の相対移動により上記通気孔を開放した開放状態とに、相互に状態変換するよう配設することとした。
【００１８】
この請求項４に係る発明の場合においても、上記の請求項１又は請求項２の場合と同様に閉栓状態においてのみ乾燥剤を容器内の雰囲気と接触させ得る一方、閉栓状態においてはその乾燥剤と外気との接触を遮断し得るようになる。すなわち、容器の口部にキャップを例えばねじ込んで閉栓していくと、請求項２の場合と同様に上記口部の開口縁が外筒部材の突出縁に当接し次いでその突出縁を押圧していくことになる。そうすると、その押圧力を受けて外筒部材が付勢バネに抗して内筒部材に近接する側に相対移動し、この相対移動に伴い閉止片部が開放状態まで状態変換して通気孔を開放することになる。このため、キャップを閉栓した状態では、乾燥剤の収容空間と、容器内とが通気孔を通して連通し、容器内の雰囲気中の水分を乾燥剤が吸湿して容器内の雰囲気が所定状態に調湿されることになる。一方、この閉栓状態から上記キャップを閉栓操作とは逆回りに回して口部から外していくと、それにつれて上記の押圧力が開放され、この押圧力の開放に従い付勢バネの圧縮復元力が作用して外筒部材が内筒部材から離反する側に相対移動することになる。この相対移動により閉止片部が閉止状態まで状態変換して通気孔を閉止することになる。そして、開栓状態では通気孔が閉止片部により閉止されて内筒部材内の収容空間が密閉され、その収容空間内の乾燥剤と外気との接触が遮断されることになる。これにより、請求項１又は請求項２の場合と同様に、開栓状態においては乾燥剤が外気と遮断されて保護され、乾燥剤の吸湿機能を容器内の雰囲気からの吸湿のみに発揮させることが可能となって、乾燥剤による吸湿機能をより一層長期に亘り持続させ得ることになる。
【００１９】
以上の請求項２〜請求項４のいずれかの防湿栓装置においては次のような種々の特定事項を選択的にもしくは組み合わせて追加することができ、これにより、さらなる作用を得ることができる。
【００２０】
第１としては、上記内筒部材及び外筒部材を共に合成樹脂成形により円筒形状に形成し、かつ、それら内筒部材及び外筒部材の両筒軸が上記口部の中心軸と互いに同軸になるように配置する。そして、上記外筒部材の外径を上記容器の口部の内径よりも小径に設定し、上記外筒部材の突出縁の外径を上記キャップの内径よりも小さくかつ上記口部の開口縁の開口径と同等以上に大きく設定する（請求項５）。このようにすることにより、防湿栓装置を容易かつ具体的に製造し得て、しかも、キャップの閉栓操作又は開栓操作に伴い外筒部材の相対移動をよりスムースに引き起こさせて開放状態と閉止状態との状態変換をより確実に実現させ得ることになる。
【００２１】
第２としては、上記付勢バネを、単独部品として構成したり、あるいは、付勢バネを外筒部材とキャップとの間に配設したりしてもよいが、次のように内筒部材及び外筒部材のいずれか一方と一体に形成し、その付勢力を内筒部材と外筒部材との間で発揮させるようにすることもできる。すなわち、上記付勢バネを、内筒部材及び外筒部材のいずれか一方と一体に合成樹脂成形により形成し、かつ、上記一方から他方に向けて斜めに延びて素材の弾性に基づき可撓性が付与された自由端をなすように形成する（請求項６）。このようにすることにより、部品点数の増加を招かず、しかも、付勢バネ単独での組み付け作業も不要となって防湿栓装置のキャップへの組み付けも容易となる。さらに、付勢バネを単独部品で構成する場合の位置ずれ等のおそれもなく、付勢バネによる付勢力を確実に作用させて閉栓時の連通（開放状態）と、開栓時の遮断（閉止状態）との状態変換をより確実に行い得ることになる。この場合、上記付勢バネを、螺旋状又はたこ足状に配置された少なくとも２本以上の棒状、杆状又は帯板状の延設片により構成するようにしてもよい（請求項７）。このようにすることにより、合成樹脂一体形成による付勢バネの形成を具体的かつ確実に行い得ることになる。しかも、付勢バネとしての付勢力を確実に発揮させ得ることにもなる。
【００２２】
第３としては、上記の閉止状態に変換されたときにその閉止状態の維持を、例えば付勢バネのバネ開放設定や、かかるバネ開放状態の付勢バネによる内筒部材及び外筒部材の相互連結等により実現させるようにしてもよいが、次のようなストッパ部を追加することでより確実に実現させ得る。すなわち、上記内筒部材の外周面及び外筒部材の内周面に、上記外筒部材の離反する側の相対移動により互いに凹凸係合し上記外筒部材のそれ以上の相対移動を阻止して閉止状態に保持するストッパ部を形成する（請求項８）。このようにすることにより、特に開栓操作により外筒部材が付勢バネの圧縮復元力を受けて内筒部材から離反する側に相対移動する場合に、上記ストッパ部の凹凸係合によって外筒部材と内筒部材との位置関係を閉止状態に確実に保持し得ることになる。これにより、開栓状態での乾燥剤と外気との遮断をより一層確実に保持し得ることになる。ここで、上記ストッパ部を、径方向に突出するよう形成された係合凸部と、この段部に当止して移動規制するする径方向に突出する係合凸部との組み合わせにより構成することにより（請求項９）、上記のストッパ部による閉止状態の保持をより一層確実に行い得ることになる。
【発明の効果】
【００２３】
以上、説明したように、請求項１〜請求項９のいずれかの防湿栓装置によれば、キャップを容器の口部に閉栓した閉栓状態では乾燥剤の収容空間と容器内の雰囲気とを連通させた開放状態に変換して上記乾燥剤による吸湿機能を発揮させることができる一方、上記キャップを容器の口部から取り外した開栓状態では上記乾燥剤の収容空間を閉止した閉止状態に変換させて乾燥剤と外気との接触を遮断させることができる。しかも、このような開放状態と閉止状態との状態変換をキャップの閉栓操作又は開栓操作に連動して自動的に行わせることができる。これにより、開栓状態における外気との遮断による乾燥剤の保護と、閉栓状態における乾燥剤の吸湿機能による容器内の雰囲気の所定状態への維持とを両立させることができ、つまり、乾燥剤の吸湿機能を容器内雰囲気に対してのみ発揮させることができ、乾燥剤による吸湿機能をより一層長期に亘り持続させることができるようになる。
【００２４】
特に、請求項２の防湿栓装置によれば、請求項１の防湿栓装置をより具体化させて請求項１による効果を具体的に得ることができる。そして、請求項３の防湿栓装置によれば、上記の開放状態と閉止状態との状態変換を内筒部材及び外筒部材の底壁側部位、つまり容器の口部内の奥方に臨む部位で実現させることができ、又、請求項４の防湿栓装置によれば、上記の開放状態と閉止状態との状態変換を内筒部材及び外筒部材の周壁側部位、つまり容器の口部内の内周面に臨む部位で実現させることができ、容器やその容器の口部等のサイズもしくは形状等の違いによっても上記の効果を実現させることができる。
【００２５】
また、請求項５によれば、請求項２〜請求項４のいずれかの防湿栓装置を容易かつ具体的に製造することができる上に、キャップの閉栓操作又は開栓操作に伴い外筒部材の相対移動をよりスムースに引き起こさせて開放状態と閉止状態との状態変換をより確実に実現させることができる。
【００２６】
請求項６によれば、請求項２〜請求項４のいずれかの防湿栓装置を構成する上で部品点数の増加を招かず、しかも、付勢バネ単独での組み付け作業も不要となって防湿栓装置のキャップへの組み付けの容易化を図ることができる。加えて、付勢バネを単独部品で構成する場合の位置ずれ等のおそれも回避して、付勢バネによる付勢力の確実なる作用によって閉栓時の連通と、開栓時の遮断との状態変換をより確実に行うことができる。この場合において、請求項７によれば、合成樹脂一体形成による付勢バネの形成を具体的かつ確実に行うことができ、付勢バネとしての付勢力をより確実に発揮させることができるようになる。
【００２７】
請求項８又は請求項９によれば、特に開栓操作により外筒部材が付勢バネの圧縮復元力を受けて内筒部材から離反する側に相対移動する場合に、上記ストッパ部の凹凸係合によって外筒部材と内筒部材との位置関係を確実に閉止状態に保持させることができ、開栓状態での乾燥剤と外気との遮断をより一層確実に保持することができるようになる。
【発明を実施するための最良の形態】
【００２８】
以下、本発明の実施形態を図面に基づいて説明する。
【００２９】
＜第１実施形態＞
図１及び図２は本発明の第１実施形態に係る防湿栓装置を示し、符号２は容器、３はこの容器２の口部２１を開栓又は閉栓するための蓋状のキャップ、４は乾燥剤（例えばシリカゲル）、５はこの乾燥剤４を内部に収容する収容部材としての内筒部材、６は開閉変換手段の一部を構成する外筒部材である。図１はキャップ３が容器２から外されて開栓状態にされるに伴い上記乾燥剤４が外気と自動遮断された閉止状態に変換された状態を示し、図２は上記キャップ３が容器２の口部２１にねじ込まれて閉栓状態にされるに伴い上記乾燥剤４が容器２内の雰囲気と接触する開放状態に変換された状態を示す。又、図３には上記の防湿栓装置が内側に装着されたキャップ３の斜視図を示している。
【００３０】
上記容器２は、合成樹脂製ボトル又はガラス瓶等により口部２１の中心軸Ｘを筒軸とする有底の円筒状容器として構成されたものであり、例えばカプセル，錠剤等の経口薬剤、又は粉状，粒状の栄養補助食品等の湿気を嫌うものを収容するために用いられるものである。そして、上記口部２１の外周面にはキャップ３を閉栓させるためのネジ部２１１が形成されている。なお、本発明が適用される容器としては、特にその形状が限定されるものではなく、キャップ３により閉栓される口部２１を有するものであればよい。以下の説明では上記中心軸Ｘ及び後述の筒軸Ｙが延びる方向を上下方向とし、図１及び図２の上を「上」、下を「下」として説明する。
【００３１】
上記キャップ３は、下方に開放された周壁３１と、この周壁３１の上端側を覆う頂壁３２とが合成樹脂成形により一体に形成されたものであり、周壁３１の内周面には上記口部２１のネジ部に嵌合するネジ部３１１が一体に形成されている。また、上記キャップ３の頂壁３２下面、つまりキャップ３の内面には上記内筒部材５を固定するために環状の取付部３３が下向きに突出するように一体に形成されている。なお、かかるキャップ３と口部２１との閉栓のための手段は、上記のネジ部による締結手段の他に、例えばキャップを口部に被せて押し込むことにより凹凸係合する係合手段等の、閉栓操作によりキャップ３が口部２１に対し容器２の奥方（図１及び図２の下方）に相対移動することになるものであれば、本発明を適用することができる（他の実施形態において同じ）。
【００３２】
上記内筒部材５は図４にも示すように上側が開放され下側に有底とされた有底円筒状とされ、上側に大径部５１、下側に小径部５２が筒軸Ｙに沿って同軸上に２段配置となるように合成樹脂成形により形成されたものである。上記大径部５１は内部に乾燥剤４の収容空間５０を画成し得るサイズに形成され、上記小径部５２は乾燥剤４よりも小さくかつ後述の小径筒部６６よりも大きいサイズに形成されている。又、上記大径部５１と小径部５２とを連結するドーナッツ板状の底壁５３上に乾燥剤４が載置されるようになっており、この底壁５３にはその下面から斜め下方に螺旋状に延びる複数本の付勢バネ５４，５４，…が一体に形成されている。
【００３３】
上記大径部５１は、その上端（先端）開口側の内周面から所定間隔毎に径方向内方に突出する係合凸部５１１と、下端側所定位置の外周面から径方向外方に全周にわたり突出する係合凸部５１２とを一体に有している。上記係合凸部５１１が上記環状取付部３３の外周面に形成された係合凸部３３１を下から上に乗り越えた状態で両係合凸部５１１，３３１が互いに係止し、これにより、内筒部材５がキャップ３の内面に固定されるようになっている。この係止された状態では、上記大径部５１の先端開口縁がキャップ３の頂壁３２下面に突き当たることにより、内筒部材５がキャップ３に対し位置ずれすることなく強固に固定されることになる。また、上記係合凸部５１２は外筒部材６の後述の係合凸部６１１と共にストッパ部を構成するものであり、開栓時に外筒部材６を閉止状態に保持する役割を果たすものである。
【００３４】
上記小径部５２の底壁５５には後述の小径筒部６６が挿入される挿入開口５６が筒軸Ｙを中心にして貫通形成され、その開口縁５６１が上向きに筒状をなして突設されている。そして、この開口縁５６１の内周面には径方向内方に僅かに突出して後述の小径筒部６６の外周面に密接するシール部５６２が一体に形成されている。
【００３５】
上記各付勢バネ５４は、図５にも示すように底壁５３の下面位置であって周方向に等間隔位置から斜め下方にかつ円弧状に延ばされ、先端が自由端５４１とされている。この各付勢バネ５４は、その形成素材である合成樹脂が有する可撓性に基づいて外筒部材６に対し内筒部材５から下側（離反する側）に相対移動させ得る弾性付勢力を付与するように、その断面積や長さが定められている。そして、上記各付勢バネ５４は、その自由端５４１が外筒部材６の後述の底壁６３の上面に当接し、外筒部材６に対し内筒部材５から離反する側（下側）に付勢力を付与するようになっている。
【００３６】
また、上記外筒部材６も、上側が開放され下側が有底とされた有底円筒状に構成され、内筒部材５と同様に、筒軸Ｙに沿って同軸上に２段配置となる大径部６１及び小径部６２と、この大径部６１と小径部６２とを連続させるドーナッツ板状の底壁６３と、小径部６２の底壁６４と、大径部６１の上端縁から外周側（径方向外方側）に突出する突出縁６５とが合成樹脂成形により一体に形成されたものである。そして、この外筒部材６は上記内筒部材５に対し下から上に筒軸Ｙと同軸に外嵌させ得るように内筒部材５よりも一回り大きいサイズに設定されている。加えて、上記大径部６１の外径が容器２の口部２１の内径よりも小さく設定され、上記突出縁６５の外径が上記口部２１の開口縁２１２の直径と同等以上で、かつ、キャップ３の周壁３１の最小内径よりも小さくなるように設定されている。
【００３７】
上記大径部６１の内周面にはその上下方向所定位置から径方向内方側に突出する係合凸部６１１が全周にわたり形成されている。この係合凸部６１１は、開栓状態（図１参照）において内筒部材５の係合凸部５１２と係合することにより、外筒部材６を上記付勢バネ５４の付勢力に抗して収容空間５０が閉止状態になるように位置付け、内筒部材５からそれ以上に離反する側（下側）に相対移動することを阻止するようになっている。
【００３８】
上記底壁６４には内筒部材５の挿入開口５６に挿入し得る外径の小径筒部６６が上側に突出形成されている。この小径筒部６６の上側部位の周面及び先端は共に閉塞される一方、下側部位には上下方向に長いスリット状の透孔（図例では周方向に４つ）６６１，６６１，…が貫通形成されている。
【００３９】
上記突出縁６５の最外周位置には先細断面のベロ部６５１が上向きに突出して形成されている。このベロ部６５１は、閉栓状態（図２参照）で突出縁６５が口部２１の開口縁２１２により押圧されることによりキャップ３の頂壁３２の下面に密接され、これにより、ネジ部２１１，３１１によるシールに加えてさらなるシール性を発揮すると共に、閉栓操作の最終段階でのクッション性を付与するようにしている。
【００４０】
以上の第１実施形態においては、「通気孔」が挿入開口５６により、あるいは、挿入開口５６及び各透孔６６１により構成され、「開閉変換手段」が小径筒部６６や突出縁６５を備えた外筒部材６と、各付勢バネ５４とによって構成されることになる。また、「閉止部」が上記小径筒部６６の上側部位により構成されることになる。
【００４１】
この第１実施形態の防湿栓装置を組み付けるには、まず、内筒部材５の収容空間５０に例えばシリカゲルにより構成された乾燥剤４を入れ、その大径部５１の開口部側からキャップ３の環状取付部３３に押し込む。この押し込みにより、係合凸部５１１が上記環状取付部３３の係合凸部３３１を下から上に乗り越えて両係合凸部５１１，３３１が互いに密着状態で係止され、内筒部材５が内部に乾燥剤４を収容した状態でキャップ３に固定される。
【００４２】
次に、外筒部材６を突出縁６５が形成された開口部側から上記内筒部材６に対し下から上に填め込む。このはめ込みにより、小径筒部６６が挿入開口５６に挿入されると共に、内筒部材５の各付勢バネ５４の自由端５４１が底壁６３の上面に接触し、この付勢バネ５４に抗してなおも上方に填め込んでいくと係合凸部６１１が内筒部材５の係合凸部５１２を乗り越えることになる。この乗り越えた段階で係合凸部６１１が係合凸部５１２に係合して外筒部材６が内筒部材５に保持され、以上で組み付けが完了して図１の開栓状態と同じ状態になる。
【００４３】
なお、上記の係合凸部３３１に対する係合凸部５１１の乗り越えによる係合や、係合凸部５１２に対する係合凸部６１１の乗り越えによる係合は、共に素材の有する柔軟性もしくは可撓性に基づいて圧入気味の押し込み操作により行う。
【００４４】
この図１の開栓状態では、外筒部材６は各付勢バネ５４から若干の付勢力を受けつつ、上記係合凸部６１１と係合凸部５１２との係合により、内筒部材５から下側に所定量離反した状態に保持される。そして、小径筒部６６の上側部位の外周面と挿入開口５６の開口縁とがシール部５６２により密接した状態となって、これにより、挿入開口５６が閉止されて収容空間５０内が密閉される。つまり、乾燥剤４と外気との接触が遮断された閉止状態となる。
【００４５】
この開栓状態のキャップ３を容器２の口部２１に対し上側から被せて閉栓操作を行うと、キャップ３側の筒軸Ｙと、容器２側の中心軸Ｘとは同軸上に配置されることになり、外筒部材６の大径部６１が口部２１内に入り込み、口部２１の開口縁２１２が外筒部材６の突出縁６５の下面に当接することになる。そして、キャップ３をねじ込んでいくと、そのねじ込みに伴い上記開口縁２１２が突出縁６５を押圧し、外筒部材６は内筒部材５に近接する側に各付勢バネ５４の付勢力に抗して押し込まれていくことになる。この押し込みに伴い外筒部材６の小径筒部６６も挿入開口５６から内筒部材５の小径部５２内に前進する。最終的にキャップ３を口部２１にねじ込み終えると（図２参照）、挿入開口５６の上下が小径筒部６６の透孔６６１により連通し、内筒部材５の収容空間５０が容器２内と連通した開放状態に変換されることになる。これにより、容器２内の雰囲気に対し乾燥剤４の吸湿機能が発揮され、容器２内の雰囲気が防湿された状態に維持される。
【００４６】
この図２の閉栓状態から開栓操作すると、つまり、キャップ３を上記の閉栓操作とは逆回りに回転させて口部２１から外していくと、それに伴い口部２１の開口縁２１２が離れる側に相対移動するため外筒部材６は各付勢バネ５４の復元力により内筒部材５から下に離反する側に相対移動する。この外筒部材６の下側への相対移動によりその小径筒部６６も挿入開口５６を下側に相対移動し、口部２１から完全に離された開栓状態に至れば、挿入開口５６は上述の図１に示す閉止状態に変換される。これにより、収容空間５０は密閉されて乾燥剤４は外気から遮断されることになる。
【００４７】
以上のように、閉栓状態では乾燥剤４の吸湿機能を発揮させることができる一方、開栓状態ではその乾燥剤４と外気との接触を遮断して乾燥剤４を保護することができる。しかも、そのような開放状態と閉止状態との状態変換を、キャップ３の閉栓操作又は開栓操作に連動させて自動的行うことができる。
【００４８】
＜第２実施形態＞
図６及び図７は本発明の第２実施形態に係る防湿栓装置を示す。両図において、符号７は乾燥剤４を内部に収容する収容部材としての内筒部材、８は開閉変換手段の一部を構成する外筒部材である。図６はキャップ３が容器２から外されて開栓状態にされるに伴い上記乾燥剤４が外気と自動遮断された閉止状態に変換された状態を示し、図８は上記キャップ３が容器２の口部２１にねじ込まれて閉栓状態にされるに伴い上記乾燥剤４が容器２内の雰囲気と接触する開放状態に変換された状態を示す。又、図８には上記の防湿栓装置が内側に装着されたキャップ３の斜視図を示している。なお、以下の説明では、第１実施形態と同様に容器２の中心軸Ｘ及び筒軸Ｙが延びる方向を上下方向とし、図６及び図７の上ほ「上」、下を「下」として説明する。また、第１実施形態と同じ構成要素については第１実施形態と同じ符号を付してその詳細な説明を省略している。
【００４９】
上記内筒部材７は、図９にも示すようにＹを筒軸とする周壁７１と底壁７２とから上側が開放され下側に有底とされて内部に乾燥剤４の収容空間７０を画成し得るサイズの有底円筒状に合成樹脂成形により形成されたものである。上記周壁７１の開口側である上側部位は下側部位よりも僅かに大径になるように形成され、この上側部位には、その内周面において所定間隔毎に径方向内方に突出する係合凸部７１１と、外周面において径方向外方に突出する係合凸部７１２とが形成されている。上記内周側の各係合凸部７１１はキャップ３の環状取付部３３の係合凸部３３１と互いに係止することにより、内筒部材７をキャップ３の内面に固定するようになっている。この際、第１実施形態と同様に内筒部材７の先端開口縁がキャップ３の頂壁３２下面に突き当たることにより、内筒部材７がキャップ３に対し位置ずれすることなく強固に固定されることになる。又、上記外周側の係合凸部７１２は、後述の係合凸部８１１と共に、開栓時において外筒部材８を内筒部材７に対し閉止状態に位置付けかつそれ以上の下方への相対移動を阻止するストッパ部を構成するものである。
【００５０】
上記周壁７１の下側部位には、径方向に貫通する少なくとも１つ（図１０にも示すように図例では４つ）の通気孔７１３，７１３，…が形成され、加えて、上記下側部位の外周面には、上下方向に延びて径方向外方に突出するガイド用の凸条７１４（図９及び図１０参照）が少なくとも１本（図例では周方向に等間隔に４本）形成されている。各凸条７１４は外筒部材８の後述のガイド溝８１３に内挿されることにより、外筒部材８が周方向に位置ずれすることなく内筒部材７に対し上下方向に相対移動するようにガイドするようになっている。
【００５１】
上記底壁７２の下面には複数本（図例では周方向に等間隔に４本）の付勢バネ７３が一体に形成されている。この各付勢バネ７３は、図９にも示すように上記底壁７２の下面中央寄り位置から放射状配置で斜め下方に向けてたこ足状に延び、先端（下端）が自由端７３１とされている。この各付勢バネ７３も、第１実施形態と同様に、その形成素材である合成樹脂が有する可撓性に基づいて上記各自由端７３１から外筒部材８に対し内筒部材７から下側（離反する側）に相対移動させ得る弾性付勢力を付与するように、その断面積や長さが定められている。
【００５２】
上記外筒部材８は、内筒部材７と同じ筒軸Ｙを中心とする周壁８１と、底壁８２と、周壁８１の開口側から径方向外方に突出する突出縁８３とから上側が開放され下側が有底とされた有底円筒状に構成され、これらが合成樹脂成形により一体に形成されたものである。そして、この外筒部材８は上記内筒部材７に対し下から上に筒軸Ｙと同軸に外嵌させ得るように上記周壁８１の内径が内筒部材７の周壁７１の上側部位の外径に対応するサイズに設定されている。加えて、上記大径部６１の外径が容器２の口部２１の内径よりも小さく設定され、上記突出縁８３の外径が上記口部２１の開口縁２１２の直径と同等以上で、かつ、キャップ３の周壁３１の最小内径よりも小さくなるように設定されている。
【００５３】
上記周壁８１には、開口側である上側部位の内周面から径方向内方側に突出する係合凸部８１１（図９参照）と、その下側部位の内周面から径方向内方側に突出し上下方向に互いに平行に延びて対をなす凸条８１２，８１２（図９及び図１０参照）と、この両凸条８１２，８１２間のガイド溝８１３と、スリット状の切欠部８１４内に配設された閉止片部８１５とが形成されている。上記係合凸部８１１は、開栓状態（図１参照）において内筒部材７の係合凸部７１２と係合することにより、外筒部材８を上記付勢バネ７３の付勢力に抗して収容空間７０が閉止状態になるように位置付け、内筒部材５からそれ以上に離反する側（下側）に相対移動することを阻止するようになっている。上記凸条８１２，８１２は、内筒部材７の凸条７１４と同じ数（図例では周方向に等間隔に４対）で同じ配置に形成され、かつ、各対の凸条８１２，８１２間のガイド溝８１３の幅が上記凸条７１４よりも僅かに大きくなるように設定されている。
【００５４】
また、上記閉止片部８１５は内筒部材７の通気孔７１３，７１３，…と同数でかつ各通気孔７１３の位置に対応する周方向各位置に形成されている。各閉止片部８１５は、各切欠部８１４の上縁位置から径方向内方に斜めに張り出すように形成され、その素材である合成樹脂の有する弾性又は可撓性により内筒部材７の周壁７１の下側部位に対し押圧力を作用させつつ密接されるようにされている。そして、内筒部材７の凸条７１４が外筒部材８のガイド溝８１３内に填め込まれて外筒部材８と内筒部材７との周方向の相対移動が規制された状態で外筒部材８が上下方向に相対移動することにより、各閉止片部８１５が通気孔７１３，７１３，…を閉止状態と開放状態とに変換させるようになっている。すなわち、外筒部材８の係合凸部８１１が内筒部材７の係合凸部７１２に係合した図６の開栓状態では閉止片部８１５が通気孔７１３を密封して閉止し、上記外筒部材８が各付勢バネ７３に抗して内筒に近接する側に相対移動した図７の閉栓状態では上記閉止片部８１５が通気孔７１３の上側に相対移動して通気孔７１３を開放させることになる。
【００５５】
なお、上記突出縁８３は第１実施形態における突出縁６５と同様構成とされ、その最外周位置には先細断面のベロ部８３１が上向きに突出して形成されている。
【００５６】
以上の第２実施形態においては、「閉止部」が上記各閉止片部８１５により構成され、「開閉変換手段」が上記閉止片部８１５を備えた外筒部材８と、各付勢バネ７３とによって構成されることになる。
【００５７】
この第２実施形態の防湿栓装置を組み付けるには、まず、内筒部材７の収容空間７０に例えばシリカゲルにより構成された乾燥剤４を入れ、その内筒部材７を開口部側からキャップ３の環状取付部３３に押し込む。この押し込みにより、係合凸部７１１が上記環状取付部３３の係合凸部３３１を下から上に乗り越えて両係合凸部７１１，３３１が互いに密着状態で係止され、内筒部材７が内部に乾燥剤４を収容した状態でキャップ３に固定される。
【００５８】
次に、外筒部材８を突出縁８３が形成された開口部側から上記内筒部材７に対し下から上に填め込む。この際、内筒部材７の各凸条７１４が外筒部材８の各ガイド溝８１３内に入り込むように周方向位置を合わせて填め込む。この填め込みにより、内筒部材７の各付勢バネ７３の自由端７３１が外筒部材８の底壁８２の上面に接触し、この付勢バネ７３に抗してなおも上方に押し込んでいくと係合凸部８１１が内筒部材７の係合凸部７１２を乗り越えることになる。この乗り越えた段階で係合凸部８１１が係合凸部７１２に係合して外筒部材８が各付勢バネ７３に抗して内筒部材７に保持される一方、外筒部材８の各閉止部８１５が内筒部材７の各通気孔７１３を覆って収容空間７０を密封した状態になる。以上で組み付けが完了して図６の開栓状態と同じ状態になる。この状態では、外筒部材８は各付勢バネ７３から若干の付勢力を受けつつ、上記係合凸部８１１と係合凸部７１２との係合により、内筒部材７から下側に所定量離反した状態に保持され、乾燥剤４と外気との接触が遮断された閉止状態となる。
【００５９】
この開栓状態のキャップ３を容器２の口部２１に対し上側から被せて閉栓操作を行うと、キャップ３側の筒軸Ｙと、容器２側の中心軸Ｘとは同軸上に配置されることになり、外筒部材８が口部２１内に入り込み、口部２１の開口縁２１２が外筒部材８の突出縁８３の下面に当接することになる。そして、キャップ３をねじ込んでいくと、そのねじ込みに伴い上記開口縁２１２が突出縁８３を押圧し、外筒部材８は内筒部材７に近接する側に各付勢バネ７３の付勢力に抗して押し込まれていくことになる。この際、キャップ３のねじ込み操作により外筒部材８は開口縁２１２からねじり力を受けることになるが、凸条７１４とガイド溝８１３との組み合わせによる周方向位置規制によって外筒部材８は筒軸Ｙ回りに回転することなく、各閉止片部８１５は確実に所定の周方向位置で上下方向に移動するように維持される。上記の押し込みによる外筒部材８の相対移動に伴い各閉止片部８１５は各通気孔７１３から上側に相対移動し、最終的にキャップ３をねじ込み終えると（図７参照）、各通気孔７１３が完全に開放され、容器２内と乾燥剤４の収容空間７０とが各通気孔７１３及び各スリット状切欠部８１４を通して互いに連通した開放状態に変換されることになる。これにより、容器２内の雰囲気に対し乾燥剤４の吸湿機能が発揮され、容器２内の雰囲気が防湿された状態に維持される。
【００６０】
この図７の閉栓状態から開栓操作すると、つまり、キャップ３を上記の閉栓操作とは逆回りに回転させて口部２１から外していくと、それに伴い口部２１の開口縁２１２が離れる側に相対移動するため外筒部材８は各付勢バネ７３の復元力により内筒部材７から下に離反する側に相対移動する。この外筒部材８の下側への相対移動により上記閉止片部８１５も下側に相対移動し、口部２１から完全に離された開栓状態に至れば、外筒部材８の係合凸部８１１が内筒部材７の係合凸部７１２に係合されて相対移動が停止して上述の図６の閉止状態に変換される。これにより、収容空間７０は再び密閉されて乾燥剤４は外気から遮断されることになる。
【００６１】
以上のように、この第２実施形態においても、第１実施形態と同様に、閉栓状態では乾燥剤４の吸湿機能を発揮させることができる一方、開栓状態ではその乾燥剤４と外気との接触を遮断して乾燥剤４を保護することができる。しかも、そのような開放状態と閉止状態との状態変換を、キャップ３の閉栓操作又は開栓操作に連動させて自動的行うことができる。
【００６２】
＜他の実施形態＞
なお、本発明は上記第１及び第２実施形態に限定されるものではなく、その他種々の実施形態を包含するものである。
【００６３】
すなわち、「付勢バネ」として、上記第１及び第２実施形態の如く内筒部材５，７と一体に形成するのではなくて、外筒部材６，８と一体に形成するようにしてもよい。また、「付勢バネ」を内筒部材５，７や外筒部材６，８とは別体の単独の部品により構成し、これを組み付けの際に内筒部材５，７と、外筒部材６，８との間に介装させるようにしてもよい。この場合には、「付勢バネ」としてコイルスプリング、板バネ等の弾性部材を用いることもできる。この際に、「付勢バネ」の両端を内筒部材５，７と外筒部材６，８との双方に係止もしく係合等の手段により結合し、「付勢バネ」の開放時間隔を乾燥剤４の収容宇空間５０，７０が閉止状態のときの内筒部材５，７と外筒部材６，８との間の筒軸Ｙ方向間隔に等しくなるようにすれば、係合凸部６１１，８１１と係合凸部５１２，７１２とによるストッパ部の形成を省略することも可能である。さらに、「付勢バネ」の配設位置としては、上記以外にキャップ３の内面との間、例えば突出縁６５，８３と頂壁３２の下面との間に介装させるようにしてもよく、あるいは、後述の如く「閉止部」を単独で構成する場合にはその「閉止部」と「収容部材」との間に介装させるようにしてもよい。前者の配設位置の場合には、特に第２実施形態では外筒部材８の底壁８２を省略してもよい。つまり、有底とはせずに開放にしてもよい。
【００６４】
「収容部材」としての内筒部材５，７のキャップ３に対する固定を、キャップ３の周壁３１の内周面との凹凸係合により行うようにしてもよい。この場合には、キャップ３の環状取付部３３を省略し、内筒部材の開口縁を外周側に延ばしてフランジ部を形成し、このフランジ部の外周縁を上記周壁３１の内周面に対し係合させるようにすればよい。また、「収容部材」として第１及び第２実施形態では内筒部材５，７を示したが、周壁部分と底壁部分とを有しておればよく、「筒」という用語に拘泥するものではなく「皿」なる用語で表すこともできる。
【００６５】
第１実施形態では透孔６６１を有する小径筒部６６を外筒部材６の側に形成し、挿入開口５６を内筒部材５の側に形成した例を示したが、これに限らず、互いに逆の側に形成するようにしてもよい。
【００６６】
「開閉変換手段」の閉止部として第１実施形態及び第２実施形態では外筒部材６，８を用いた例を示したが、必ずしも外筒部材を用いる必要はない。例えば、周壁位置に通気孔を有し内部に乾燥剤４を収容した収容部材の周壁に対し、口部２１の開口縁２１２からの押し込み力を受ける受圧部（例えば外周側に突出する突出縁）を有し帯板状もしくは片状に形成された独立した閉止部を筒軸Ｙ方向に移動可能に保持させ、この閉止部と収容部材との間に上記通気孔を閉止した状態に維持するよう付勢する付勢バネを介装させるようにすればよい。このように構成する場合には上記の外筒部材自体を省略することも可能である。
【図面の簡単な説明】
【００６７】
【図１】本発明の第１実施形態の開栓状態を示す一部省略断面図である。
【図２】第１実施形態の閉栓状態を示す一部省略断面図である。
【図３】第１実施形態のキャップの内面側を示す斜視図である。
【図４】第１実施形態の内筒部材と外筒部材との一部破断状態の分解斜視図である。
【図５】第１実施形態の内筒部材を示す図であり、図５（ａ）は正面図、図５（ｂ）は図５（ａ）のＡ−Ａ線矢視図である。
【図６】第２実施形態の開栓状態を正面図一部省略断面図である。
【図７】第２実施形態の閉栓状態を示す一部省略断面図である。
【図８】第２実施形態のキャップの内面側を示す斜視図である。
【図９】第２実施形態の内筒部材と外筒部材との一部破断状態の分解斜視図である。
【図１０】図６のＢ−Ｂ線における断面説明図である。
【図１１】図１１（ａ）は本発明が対象とする容器とキャップを示す正面図であり、図１１（ｂ）は容器内の防湿のためにキャップに装着された従来の構成を示す断面図である。
【符号の説明】
【００６８】
２            容器
３            キャップ
４            乾燥剤
５，７        内筒部材（収容部材）
６，８        外筒部材（開閉変換手段の一部）
２１          口部
５０，７０    収容空間
５４，７３    付勢バネ（開閉変換手段の一部）
５６          挿入開口（通気孔）
６５，８３    突出縁
６６          小径筒部（上側部位が閉止部を構成）
２１２        口部の開口縁
５１２，７１２    係合凸部（ストッパ部）
６１１，８１１    係合凸部（ストッパ部）
６６１        小径筒部の透孔
７１３        通気孔
８１５        閉止片部（閉止部，開閉変換手段の一部）
【図１】
2005193925.tif 000003
【図２】
2005193925.tif 000004
【図３】
2005193925.tif 000005
【図４】
2005193925.tif 000006
【図５】
2005193925.tif 000007
【図６】
2005193925.tif 000008
【図７】
2005193925.tif 000009
【図８】
2005193925.tif 000010
【図９】
2005193925.tif 000011
【図１０】
2005193925.tif 000012
【図１１】
2005193925.tif 000013